【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
画像を表示する表示装置であって、
所定のフレームレートで入力される画像信号を記憶する画像記憶部と、
視聴者の状況を判断する際に用いられるデータを検出する検出部と、
前記検出部によって検出されたデータから、前記視聴者の状況を判断する視聴者状況判断部と、
前記視聴者状況判断部によって判断された視聴者の状況及び前記画像信号が入力される所定のフレームレートに基づき、表示レートを決定する表示レート決定部と、
前記表示レート決定部によって決定された表示レートで、前記画像記憶部に記憶された画像データを読み出して画像を表示する表示部と、を備え、
前記検出部は、前記表示装置の状態を検出するセンサであり、
前記センサは、前記表示装置の姿勢として上下左右の方向及び表裏の向きを検出する方向センサである表示装置。
【請求項２】
請求項１記載の表示装置であって、
前記視聴者状況判断部は、前記方向センサによって上方向かつ表向きが検出されたか否かを判断する表示装置。
【請求項３】
請求項２記載の表示装置であって、
前記視聴者状況判断部によって上方向かつ表向き以外の方向が検出されたと判断された場合、前記表示レート決定部は、前記所定のフレームレートに比べて低くなるように、前記表示レートを決定する表示装置。
【請求項４】
請求項１記載の表示装置であって、
前記センサは、前記表示装置のゆれを検出する振動センサである表示装置。
【請求項５】
請求項４記載の表示装置であって、
前記視聴者状況判断部は、前記振動センサによって前記表示装置のゆれが所定値以上であるか否かを判断する表示装置。
【請求項６】
請求項５記載の表示装置であって、
前記視聴者状況判断部によって前記表示装置のゆれが所定値以上であると判断された場合、前記表示レート決定部は、前記所定のフレームレートに比べて低くなるように、前記表示レートを決定する表示装置。
【請求項７】
画像を表示する表示装置であって、
所定のフレームレートで入力される画像信号を記憶する画像記憶部と、
前記画像信号に同期したデータを格納する同期データ格納部と、
前記同期データ格納部に格納されたデータを解析するデータ解析部と、
前記データ解析部によるデータの解析結果及び前記画像信号が入力される所定のフレームレートに基づき、表示レートを決定する表示レート決定部と、
前記表示レート決定部によって決定された表示レートで、前記画像記憶部に記憶された画像データを読み出して画像を表示する表示部と、
を備えた表示装置。
【請求項８】
請求項７記載の表示装置であって、
前記同期データ格納部に格納されるデータは、字幕データである表示装置。
【請求項９】
請求項８記載の表示装置であって、
前記データ解析部は、前記同期データ格納部に格納された字幕データの更新タイミングを解析する表示装置。
【請求項１０】
請求項９記載の表示装置であって、
前記表示レート決定部は、前記データ解析部によって解析された字幕データの更新タイミングに合わせて、表示レートを決定する表示装置。
【請求項１１】
請求項７記載の表示装置であって、
前記同期データ格納部に格納されるデータは、音声データである表示装置。
【請求項１２】
請求項１１記載の表示装置であって、
前記データ解析部は、前記同期データ格納部に格納された音声データから、盛り上がりシーンを判断する表示装置。
【請求項１３】
請求項１２記載の表示装置であって、
前記表示レート決定部は、前記データ解析部によって盛り上がりシーンと判断されない場合、前記所定のフレームレートに比べて低くなるように、前記表示レートを決定する表示装置。
【請求項１４】
請求項７〜１３のいずれか一項に記載の表示装置であって、
前記表示レート決定部によって決定された表示レートで表示される画像データに対し、画像処理を行う画像処理部を備えた表示装置。
【請求項１５】
請求項７〜１４のいずれか一項に記載の表示装置であって、
前記表示レート決定部によって決定された表示レートで表示される画像データに対し、フレーム補間を行うフレーム補間部を備えた表示装置。
【請求項１６】
所定のフレームレートで入力される画像信号を記憶する画像記憶部を備え、前記画像記憶部に記憶された画像信号に基づく画像を表示する表示装置の表示制御方法であって、
同期データ格納部に格納されたデータを解析するデータ解析ステップと、
前記データ解析ステップにおけるデータの解析結果及び前記画像信号が入力される所定のフレームレートに基づき、表示レートを決定する表示レート決定ステップと、
前記表示レート決定ステップで決定された表示レートで、前記画像記憶部に記憶された画像データを読み出して画像を表示する表示ステップと、
を有する表示制御方法。
【請求項１７】
表示装置に搭載される半導体装置であって、
画像信号に同期したデータを解析するデータ解析部と、
前記データ解析部によるデータの解析結果及び前記画像信号が入力される所定のフレームレートに基づき、前記画像信号に基づく画像を表示する際の表示レートを決定する表示レート決定部と、
を備えた半導体装置。
【手続補正２】
【補正対象書類名】明細書
【補正対象項目名】発明の名称
【補正方法】変更
【補正の内容】
【発明の名称】表示装置、表示制御方法及び半導体装置
【手続補正３】
【補正対象書類名】明細書
【補正対象項目名】０００１
【補正方法】変更
【補正の内容】
【０００１】
本発明は、表示レートを変更して画像を表示する表示装置、表示制御方法及び半導体装置に関する。
【手続補正４】
【補正対象書類名】明細書
【補正対象項目名】０００６
【補正方法】変更
【補正の内容】
【０００６】
本発明の目的は、視聴者の状況に応じて又は画像情報以外の情報を利用して表示レートを低くすることができ、視聴者にとって違和感なくかつ効率的に省電力化を図ることができる表示装置、表示制御方法及び半導体装置を提供することである。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
本発明は、画像を表示する表示装置であって、所定のフレームレートで入力される画像信号を記憶する画像記憶部と、視聴者の状況を判断する際に用いられるデータを検出する検出部と、前記検出部によって検出されたデータから、前記視聴者の状況を判断する視聴者状況判断部と、前記視聴者状況判断部によって判断された視聴者の状況及び前記画像信号が入力される所定のフレームレートに基づき、表示レートを決定する表示レート決定部と、前記表示レート決定部によって決定された表示レートで、前記画像記憶部に記憶された画像データを読み出して画像を表示する表示部と、を備え、前記検出部は、前記表示装置の状態を検出するセンサであり、前記センサは、前記表示装置の姿勢として上下左右の方向及び表裏の向きを検出する方向センサである表示装置を提供する。
本発明によれば、視聴者の状況及び画像信号が入力される所定のフレームレートに基づいて表示レートが決定されるため、視聴者の状況に応じて、表示レートを低くすることができ、視聴者にとって違和感なくかつ効率的に省電力化を図ることができる。
また、センサで検出される表示装置の状態から、視聴者の状況を判断することができる。
また、表示装置の姿勢が把握される。
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】